(57)【要約】【課題】処理する用紙種が複数種に及ぶ場合でも、複合処理装置の高性能化によるコストアップや、装置の大型化スループットの低下等の問題を招くことなく、重送検出の信頼性を向上させることができる複合処理システムを提供すること。【解決手段】複合処理装置１は、装置内の画像読取手段により取得した用紙のイメージデータの他に、重送再判定用データとして、第１の重送検出処理の判定結果と、第２の重送検出処理の判定結果と、用紙長検出手段９の検出した用紙長データと、紙厚検出手段６５の検出した用紙厚データとを、ホストコンピュータ３０に送信し、ホストコンピュータ３０では、複合処理装置１から送信されたイメージデータ及び重送再判定用データに基づいて、重送の有無を再判定することで、より確実に重送検出を行うことが可能になる。【選択図】図６
2009035367.tif 000002
【特許請求の範囲】
【請求項１】
ホストコンピュータと、前記ホストコンピュータからの指示に応じて処理媒体搬送路を搬送される処理媒体が有する各種情報を読み取る複合処理装置と、を備えた複合処理システムであって、
前記複合処理装置は、
前記処理媒体の長さを検出する長さ検出手段と、
前記処理媒体が有する情報を読み取る読み取り手段と、
前記処理媒体搬送路を搬送される前記処理媒体の厚さ及び厚さ変動を検出する厚さ検出手段と、
前記長さ検出手段と前記厚さ検出手段とによる検出結果に基づき、複数の前記処理媒体が重なった状態で搬送される重送の有無を判定する重送判定部と、
前記ホストコンピュータからの指示に基づき、読み取りデータと、長さデータと、厚さデータと、重送判定結果と、を前記ホストコンピュータへ送信する送信部と、を有することを特徴とする複合処理システム。
【請求項２】
前記ホストコンピュータは、
前記複合処理装置から送信された前記読み取りデータと、長さデータと、厚さデータと、重送判定結果と、に基づき、重送再判定を行う重送再判定部を有することを特徴とする複合処理システム。
【請求項３】
ホストコンピュータと、前記ホストコンピュータからの指示に応じて処理媒体搬送路を搬送される処理媒体が有する各種情報を読み取る複合処理装置と、を備えた複合処理システムの制御方法であって、
前記処理媒体の長さを検出する長さ検出ステップと、
前記処理媒体が有する情報を読み取る読み取りステップと、
前記処理媒体搬送路を搬送される前記処理媒体の厚さ及び厚さ変動を検出する厚さ検出ステップと、
前記長さ検出ステップと前記厚さ検出ステップにおける検出結果に基づき、複数の前記処理媒体が重なった状態で搬送される重送の有無を判定する重送判定ステップと、
前記ホストコンピュータからの指示に基づき、読み取りデータと、長さデータと、厚さデータと、重送判定結果と、を前記ホストコンピュータへ送信する送信ステップと、
前記複合処理装置から送信された前記読み取りデータと、長さデータと、厚さデータと、重送判定結果と、に基づき、重送再判定を行う重送再判定ステップと、を有することを特徴とする複合処理システムの制御方法。
【発明の詳細な説明】
【技術分野】
【０００１】
本発明は、ホストコンピュータと、装置内の用紙搬送路を搬送される用紙に対して前記ホストコンピュータからの指示に応じて所定の処理を行う複合処理装置とを備えた複合処理システム及び複合処理システムの制御方法に関する。
【背景技術】
【０００２】
小切手処理の効率化を図るために、小切手を電磁的に読み込む試みが始められている。小切手処理装置は、小切手が搬送される用紙搬送路の途中に、搬送されてくる小切手の画像情報を取得する画像読取手段と、小切手上に磁気インクで記述された情報を読み取る磁気インク情報読取手段と、これらの読取手段が読み取った情報をホストコンピュータに送信する送信部と、処理した小切手の裏面等に記録を付す印刷手段とを備えている。
【０００３】
例えば、顧客から小切手を受け取った銀行員が小切手を処理装置に通すと、小切手処理装置は、ホストコンピュータから送信された読み取りコマンドに従って、小切手上の画像や小切手上に記録された磁気インク文字を読み込み、読み込みが完了すると、読み込んだ画像情報や磁気文字情報をホストコンピュータに送信する。
【０００４】
ところで、小切手を搬送しながら処理する複合処理装置では、複数枚の小切手が重なった状態で用紙搬送路上を搬送される、いわゆる重送が発生する場合がある。
【０００５】
そこで、重送の発生を速やかに検出可能にするために、小切手を搬送する用紙搬送路の途中に、搬送中の用紙の長さを測定する用紙長検出手段と、用紙の厚さを検出する紙厚検出手段とを備え、用紙長検出手段の検出した用紙長が特定の閾値を超えたか否かにより重送の発生の有無を判定する第１の重送検出処理と、用紙搬送路の途中に装備された紙厚検出手段の検出した用紙厚が予め設定された閾値を超えたか否かにより重送の発生の有無を判定する第２の重送検出処理とを実施する複合処理装置が提案されている（例えば、特許文献１参照）。
【０００６】
【特許文献１】特開２００５−２２５５８１号公報
【発明の開示】
【発明が解決しようとする課題】
【０００７】
近年では、公共料金等の処理用紙（以下、スタブと呼称する）に対する処理においても、前述した小切手の読取処理と同様に、電磁的に情報を読み込んで処理する要求が強まっている。公共料金の支払いを小切手で行うことも想定され、前述のような複合処理システムにおいて、小切手と各種のスタブの双方を読取処理可能な複合処理システムの開発が検討されている。
【０００８】
しかし、各種のスタブには、紙厚が小切手よりも小さな物から小切手の２倍近い物があり、また、外形寸法にしても、小切手と略同等の物から、大きく相異する物まで、中には、外形寸法が小切手と略同等で、紙厚が小切手の２倍近い厚肉のスタブもある。
【０００９】
図７は、複合処理装置の用紙搬送路上に、前述の厚肉のスタブ９１に続いて小切手９３が搬送される状況で、２枚の小切手９３，９３が重なって搬送される重送が発生した場合を示している。厚肉のスタブ９１の長さがＬ１、小切手９３の長さがＬ２重なっている小切手９３，９３相互のずれ量がｓで、Ｌ１≒Ｌ２＋ｓで、Ｌ１と（Ｌ２＋ｓ）との差分が、例えば複合処理装置に装備されている用紙長検出手段の検出値の許容誤差の範囲内に有るとする。
【００１０】
このような状況では、用紙長検出手段の検出した用紙長が特定の閾値を超えたか否かにより重送の発生を判定する従来の第１の重送検出処理では、重送状態の小切手９３，９３を長さＬ１の一枚の用紙と判定してしまい、重送を検出できない。
【００１１】
また、重送状態の小切手９３，９３の厚さが厚肉のスタブ９１の紙厚に略等しいため、紙厚検出手段の検出した用紙厚が予め設定された閾値を超えたか否かにより重送の発生を判定する従来の第２の重送検出処理でも、重送状態の小切手９３，９３を所定の紙厚の一枚の用紙と判定してしまい、重送を検出できない。結局、第１の重送検出処理と第２の重送検出処理とで重送検出を行う従来の複合処理装置では、２枚の小切手９３，９３の重送を厚肉のスタブ９１と誤判定して、重送の発生が見落とされる場合がある。
【００１２】
本発明は、上記課題を解決するためになされたものであって、複合処理装置で処理する用紙種が複数種に及ぶ複合処理システムにおいて、重送の有無をより確実に検出することのできる複合処理システムを提供することである。
【課題を解決するための手段】
【００１３】
上記課題を解説することのできる本発明は、ホストコンピュータと、前記ホストコンピュータからの指示に応じて処理媒体搬送路を搬送される処理媒体が有する各種情報を読み取る複合処理装置と、を備えた複合処理システムであって、
前記複合処理装置は、
前記処理媒体の長さを検出する長さ検出手段と、
前記処理媒体が有する情報を読み取る読み取り手段と、
前記処理媒体搬送路を搬送される前記処理媒体の厚さ及び厚さ変動を検出する厚さ検出手段と、
前記長さ検出手段と前記厚さ検出手段とによる検出結果に基づき、複数の前記処理媒体が重なった状態で搬送される重送の有無を判定する重送判定部と、
前記ホストコンピュータからの指示に基づき、読み取りデータと、長さデータと、厚さデータと、重送判定結果と、を前記ホストコンピュータへ送信する送信部と、を有することを特徴とする。
【００１４】
前記ホストコンピュータは、
前記複合処理装置から送信された前記読み取りデータと、長さデータと、厚さデータと、重送判定結果と、に基づき、重送再判定を行う重送再判定部を有することを特徴とする。
【００１５】
ホストコンピュータと、前記ホストコンピュータからの指示に応じて処理媒体搬送路を搬送される処理媒体が有する各種情報を読み取る複合処理装置と、を備えた複合処理システムの制御方法であって、
前記処理媒体の長さを検出する長さ検出ステップと、
前記処理媒体が有する情報を読み取る読み取りステップと、
前記処理媒体搬送路を搬送される前記処理媒体の厚さ及び厚さ変動を検出する厚さ検出ステップと、
前記長さ検出ステップと前記厚さ検出ステップにおける検出結果に基づき、複数の前記処理媒体が重なった状態で搬送される重送の有無を判定する重送判定ステップと、
前記ホストコンピュータからの指示に基づき、読み取りデータと、長さデータと、厚さデータと、重送判定結果と、を前記ホストコンピュータへ送信する送信ステップと、
前記複合処理装置から送信された前記読み取りデータと、長さデータと、厚さデータと、重送判定結果と、に基づき、重送再判定を行う重送再判定ステップと、を有することを特徴とする。
【００１６】
上記構成によれば、複合処理装置は、複数の処理媒体が重なった状態で搬送される重送の有無を判定するだけではなく、検出した読み取りデータと、長さデータと、厚さデータと、重送判定データと、をホストコンピュータへ送信する。ホストコンピュータでは、それらのデータに基づき重送検出を行って重送の有無を再判定する。このため、従来のように複合処理装置に第１の重送検出処理及び第２の重送検出処理の実施のみで重送の判定を行っていた場合と比較して、より確実に重送の有無を検出することが可能になる。
【００１７】
また、ホストコンピュータは読み取りデータを絡めた重送再判定を行う。高度な処理能力が必要とされる重送再判定はホストコンピュータで実施し、複合処理装置は既設の読み取り手段で読み取った情報をホストコンピュータに送信するだけで、複合処理装置には大きな処理負担がかからない。そのため、複合処理装置において、処理負担の増加によるスループットの低下を防止することができる。
【００１８】
また、複合処理装置における処理負担がそれほど増加しないことから、複合処理装置の処理能力を高める高性能化が必要とならず、複合処理装置の高性能化に起因するコストアップや、装置の大型化等の問題も生じない。
【発明を実施するための最良の形態】
【００１９】
以下、本発明に係る複合処理システムの好適な実施の形態について、図面を参照して詳細に説明する。
図１は本発明に係る複合処理システムを構成する複合処理装置の用紙搬送路の概略構成図、図２は図１に示した複合処理装置の用紙搬送路の途中に装備された紙厚検出手段の概略構成図、図３は図１に示した複合処理システムの機能ブロック図、図４は図１に示した複合処理装置において実施される第２の重送検出処理の説明図、図５は図１に示した複合処理装置において実施される第３の重送検出処理の説明図、図６は図１に示した複合処理システムにおける用紙読取処理時の処理手順を示すフローチャートである。
【００２０】
この一実施の形態の複合処理システム１００は、ホストコンピュータ３０と、装置内の用紙搬送路２を搬送される小切手９３やスタブ９１等の用紙に対してホストコンピュータ３０からの指示に応じた所定の処理を行う複合処理装置１とから構成されている。
【００２１】
複合処理装置１は、小切手９３やスタブ９１を処理する窓口に設置される端末装置で、給紙部であるＡＳＦ（Auto Sheet Feeder:オートシートフィーダ）３に装填される小切手９３やスタブ９１等の単票用紙（搬送媒体）Ｓを筐体に形成された用紙搬送路２に沿って搬送しながら、単票用紙Ｓ上の両面画像の読み取り、単票用紙上の磁気インク文字の読み取りを実行可能に構成されている。
【００２２】
単票用紙Ｓの用紙搬送路２は略Ｕ字型形状を有しており、Ｕ字の底の部分に相当する部位が中間搬送路Ｍとなっている。この中間搬送路Ｍには、各種読取手段が設けられている。
用紙搬送路２は、外側ガイド２ａと内側ガイド２ｂとの間に画成された搬送部２ｃによって構成されており、この搬送部２ｃに沿って単票用紙Ｓは搬送される。
【００２３】
用紙搬送路２の上流側に、複数の単票用紙Ｓを装填可能なＡＳＦ３が設けられている。複数の単票用紙Ｓは、矢印Ａの方向からＡＳＦ３を介して用紙搬送路２に挿入される。ＡＳＦ３に装填された複数の単票用紙Ｓは、一枚ずつ分離されて用紙搬送路２内に送り出される。
【００２４】
用紙搬送路２には、単票用紙Ｓの搬送を行う搬送手段として、中間搬送路Ｍの上流側に装備された第１搬送ローラ６と、中間搬送路Ｍの中間部に装備された中間搬送ローラ１６と、中間搬送路Ｍの下流側に装備された第２搬送ローラ７と、排出口４の手前に装備された排出ローラ８とを有している。
【００２５】
第１搬送ローラ６は、駆動ローラ６ａと、用紙搬送路２を介して駆動ローラ６ａに対向配置された押し付けローラ６ｂとを有している。
また、第２搬送ローラ７は、駆動ローラ７ａと、用紙搬送路２を介して駆動ローラ７ａに対向配置された押し付けローラ７ｂとを有している。
中間搬送ローラ１６は、用紙搬送路２の下方に配置された下部押えローラ１６ａと、下部押えローラ１６ａの上方に配置された上部押えローラ１６ｂと、中間搬送路Ｍを介して上部押えローラ１６ａ及び下部押えローラ１６ｂと対向配置された駆動ローラ１７とを有している。
【００２６】
ＡＳＦ３から用紙搬送路２内に送り出された単票用紙Ｓは、第１搬送ローラ６、中間搬送ローラ１６、ならびに第２搬送ローラ７によって中間搬送路Ｍ内を搬送され、排出ローラ８により矢印Ｂの方向へ排出口４から排出される。
【００２７】
用紙搬送路２上の第１搬送ローラ６の前後には、用紙の長さを測定する用紙長検出手段９を構成する用紙後端検出センサ９ａと、用紙先端検出センサ９ｂとが装備されている。
これらの各検出センサ９ａ，９ｂは、単票用紙Ｓの後端部及び先端部の通過を検出する。用紙長検出手段９は、これらのセンサ９ａ，９ｂにより単票用紙Ｓが搬送されて来たことを検出する用紙検出を行うと同時に、単票用紙Ｓのそれぞれの端部の通過時とこれらのセンサ９ａ，９ｂ相互の離間距離等から、単票用紙Ｓの長さを検出する。
【００２８】
中間搬送路Ｍには、単票用紙Ｓの画像（イメージデータ）を読み取る第１の画像読取手段１１および第２の画像読取手段１２がそれぞれ中間搬送路Ｍの両側に搬送方向にずれた状態で設置されている。
【００２９】
これらの画像読取手段１１，１２は、それぞれＣＩＳ(Contact Image Sensor)タイプのスキャナで、中間搬送路Ｍを搬送される単票用紙Ｓの一面に光を照射し、反射した光を複数の受光素子（光電変換素子）を介して受光し、受光した光を電気信号に変換して１ライン分の画像を取得する。本実施形態では、第１の画像読取手段１１は単票用紙Ｓの裏面画像を、第２の画像読取手段１２は単票用紙Ｓの表面画像を１ラインずつ順次読み取ることにより、単票用紙Ｓの両面に対して二次元画像を取得する。
【００３０】
駆動ローラ１７の下方には、単票用紙Ｓ上に磁気インクで記述された情報（例えば、磁気インク文字）を読み取る磁気インク情報読取手段（ＭＩＣＲ（Magnetic Ink Character Reader）ヘッド）１３が設置されている。
この磁気インク情報読取手段１３は、中間搬送路Ｍを介して磁気インク情報読取手段１３に対向配置された押圧レバー６１（図２参照）によって単票用紙Ｓが磁気インク情報読取手段１３の表面に押し付けられた状態で読み取りを実行する。
【００３１】
押圧レバー６１は、図２に示すように、支点６３を中心に回転可能に支持されたクランク型のレバーで、磁気インク情報読取手段１３に対向する先端部６１ａが、単票用紙Ｓを磁気インク情報読取手段１３に押圧するように不図示の付勢手段により付勢されている。
【００３２】
押圧レバー６１は、磁気インク情報読取手段１３に押し付けた単票用紙Ｓの紙厚を検出する紙厚検出手段６５の一部を構成している。
紙厚検出手段６５は、押圧レバー６１の後端面に形成された反射面６６と、該反射面６６から離れた位置で反射面６６に検出光６９を投射する発光素子（ＬＥＤ）６７と、反射面６６で反射された光を受ける受光素子６８とから構成されている。この紙厚検出手段６５は、磁気インク情報読取手段１３と押圧レバー６１との間に挟まれる単票用紙Ｓの紙厚によって押圧レバー６１が回動し、この押圧レバー６１の回動により、反射面６６で反射した検出光６９の受光素子６８への入射位置が変化することから、単票用紙Ｓの厚さ寸法を検出する。
【００３３】
第２搬送ローラ７と排出ローラ８との間における用紙搬送路２上には、読み込みが完了した小切手の表面等に電子化が完了した旨の印を押印するスタンプ機構１４が装備されている。スタンプ機構１４は、図示せぬ排出トレイへ排出される直前の小切手Ｓの裏表面に押印する。各種読取装置によって小切手Ｓの画像情報及び磁気インク文字が読み取られると、正常に電子化されたことを意味する電子化済マークを付与する。
【００３４】
以上に説明した複合処理装置１の各部の動作は、装置内部に搭載された制御部２０により制御される。制御部２０は、その内部のプログラム記録部に予め書き込まれたファームウエアに基づき、ホストコンピュータ３０から送信されるコマンドを解析し、ホストコンピュータ３０からの指令に応じた処理を行う。
【００３５】
（複合処理装置の内部処理について）
次に、図３に基づいて、複合処理装置１の内部処理について説明する。
複合処理装置１の制御部２０は、受信部２１、特殊コマンド解析部２２、受信バッファ２３、コマンド解析部２４、排出制御部２５、状態管理部２６、搬送制御部２７、読み取り制御部２８、ステータス情報生成部２９及び送信部４０、重送判定部４２を備えている。
【００３６】
状態管理部２６は、制御部２０の全体の動作を統括制御する。各構成部を監視しており、変化があるとステータス情報生成部２９がステータス情報を生成する。ステータス情報としては、送り出し開始ステータス、読み取り終了ステータス、排出終了ステータスを適宜生成し、生成されたステータス情報は、送信部４０を介してホストコンピュータ３０へ送信される。
【００３７】
受信部２１は、ホストコンピュータ３０から送信されるデータを受信するためのインターフェースである。受信部２１が受信したデータが特殊コマンドであれば、特殊コマンド解析部２２によって解析され、特殊コマンドでない場合にはそのまま受信バッファ２３へ一時的に格納される。コマンド解析部２４は、受信バッファ２３に格納されたデータを順次読み出して解析し、解析結果に応じて状態管理部２６が各制御部に指示を行う。
【００３８】
コマンド解析部２４がデータ解析した結果、受信したデータが連続読み取りコマンドであれば、状態管理部２６は搬送制御部２７及び読み取り制御部２８に対して単票用紙Ｓの連続読み取り処理を実行するよう指示する。具体的には、単票用紙Ｓに記載されている表面画像、裏面画像及び磁気インク文字の読み取り処理を実行するよう指示する。
【００３９】
排出制御部２５は、ホストコンピュータ３０から送信される動作条件設定コマンドによって、連続読み取り処理における各単票用紙Ｓの排出処理が設定される。
【００４０】
また、読み取り制御部２８は、用紙長検出手段９、画像読取手段１１,１２、磁気インク情報読取手段１３、紙厚検出手段６５によって各情報の読み取りを行う。画像読取手段１１,１２によって読み取った単票用紙Ｓのイメージデータや、磁気インク情報読取手段１３によって読み取った磁気インク文字情報等は、送信部４０を介してホストコンピュータ３０へ送信する。
【００４１】
また、用紙長検出手段９により検出された単票用紙Ｓの用紙長データや、紙厚検出手段６５によって検出された紙厚データは、後述する重送判定部４２における判定結果と一緒に、重送再判定用データとして、送信部４０を介してホストコンピュータ３０へ送信される。
【００４２】
重送判定部４２は、用紙搬送路２上を複数枚の単票用紙Ｓが重なった状態で搬送（重送）されたかを判定する。重送判定は、第１の重送検出処理、第２の重送検出処理及び第３の重送検出処理に基づき実施する。具体的には、第１の重送検出処理は、用紙搬送路２の途中に装備された用紙長検出手段９の検出した用紙長が特定の閾値を超えたか否かにより重送の発生の有無を判定する。また、第２の重送検出処理は、用紙搬送路２の途中に装備された紙厚検出手段６５の検出した用紙厚が予め設定された閾値を超えたか否かにより重送の発生の有無を判定する。さらに、第３の重送検出処理は、紙厚検出手段６５の検出値から用紙厚が変動する領域の長さを検出して、該領域の長さが特定の閾値を超えたか否かにより重送の発生の有無を判定する。
【００４３】
ここで、第２の重送検出処理は、図４に示すように、１枚目の単票用紙Ｓ１と２枚目の単票用紙Ｓ２とが重なって搬送されたとき、その重なり部ＳＳに対して紙厚検出手段６５が検出する検出値ｔ２が、閾値ｔ１を超えていると、重送有りと判定するものである。
【００４４】
また、第３の重送検出処理は、図５に示すように、単票用紙Ｓの一定送り量ｋ毎に紙厚検出手段６５の検出値をチェックして、１枚目の単票用紙Ｓ１と２枚目の単票用紙Ｓ２とが重なって搬送されたとき、紙厚検出手段６５が検出する検出値の変化から、その重なり部ＳＳの長さを検出し、この重なり部ＳＳの長さが特定の閾値以上になるときに、重送有りと判定するものである。
【００４５】
重送判定部４２は、第１〜第３のそれぞれの重送検出処理の判定結果と、先に用紙長検出手段９により検出した用紙長データと、紙厚検出手段６５により検出した紙厚データとを、重送再判定用データとして、ホストコンピュータ３０に送信する。
【００４６】
（ホストコンピュータの内部処理について）
次に、ホストコンピュータ３０の内部処理について説明する。ホストコンピュータ３０は、図３に示すように、コマンド生成部３２と、読み取り情報判断部３３と、送受信部３４と、重送再判定部３５と、を備えている。
【００４７】
コマンド生成部３２は、制御部２０に各種動作を実行させるためのコマンドを生成する。具体的には、ＡＳＦ３に装填された複数枚の単票用紙Ｓを搬送経路に沿って搬送させ、第１の画像読取手段１１,１２による画像読み取り、磁気インク情報読取手段１３による磁気インク文字読み取りを指示する連続読み取りコマンドがある。また、連続読み取り処理において、各単票用紙Ｓの読み取り結果に応じた排出処理を設定する動作条件設定コマンドを生成する。
【００４８】
読み取り情報判断部３３は、制御部２０から送信された各種の読み取り情報の認識処理を行う。具体的には、画像読取手段１１,１２によって読み取られたイメージデータの良否判定（ＣＡＲ／ＬＡＲ、ＩＱＡなど）、ＯＣＲ認識処理、磁気インク情報読取手段１３によって読み取られたデータによるＭＩＣＲ認識処理を行う。
【００４９】
送受信部３４は、制御部２０との間でデータを送受信するためのインターフェースである。コマンド生成部３２が生成した各種コマンドを送信したり、制御部２０から送信された読み取り情報を受信する。
【００５０】
重送再判定部３５は、制御部２０から送信された単票用紙Ｓのイメージデータや、重送再判定用データに基づいて、重送の有無を再判定する。
【００５１】
（重送再判定処理について）
以上に説明した複合処理システム１００における重送再判定処理を、図６に基づいて説明する。
オペレータが、単票用紙Ｓの重送再判定処理を実行するか否かを選択して、単票用紙Ｓの連続読み取りを指示すると、ホストコンピュータ３０のコマンド生成部３２が小切手の連続読み取りコマンドを生成し、複合処理装置１の制御部２０へ送信する（ステップＳ１１）。生成される連続読み取りコマンドには、重送再判定処理を実行するか否かの指示が含まれている。本実施形態では、重送再判定処理を実行する旨の指示が含まれている。
【００５２】
複合処理装置１は、コマンド解析部２４によるコマンド解析の結果、受信したコマンドが連続読み取りコマンドであれば、状態管理部２６は搬送制御部２７に１枚目の単票用紙Ｓの送り出しを指示する。１枚目の単票用紙Ｓを送り出すとともに、ステータス情報生成部２９は送り出し開始ステータスをホストコンピュータ３０へ送信する。
【００５３】
用紙長検出手段９が、用紙搬送路２に送り出された単票用紙Ｓの用紙長を検出する（ステップＳ２１）。次いで、第１及び第２の画像読取手段１１，１２が単票用紙Ｓの画像を読み取り（ステップＳ２２）、磁気インク情報読取手段１３が単票用紙Ｓの磁気インク文字を読み取る（ステップＳ２３）。更に磁気インク情報読取手段１３に対向配置されている紙厚検出手段６５が単票用紙Ｓの紙厚検出と、紙厚変動検出を行う（ステップＳ２４）。
【００５４】
用紙長検出、画像読み取り処理、磁気インク情報読み取り処理、紙厚検出及び紙厚変動検出が完了すると、重送判定部４２は重送判定を行う（ステップＳ２５）。
この重送判定では、前述したように、次の３つの重送検出処理を行う。
（１）用紙搬送路２の途中に装備された用紙長検出手段９の検出した用紙長が特定の閾値を超えたか否かにより重送の発生の有無を判定する第１の重送検出処理。
（２）用紙搬送路２の途中に装備された紙厚検出手段６５の検出した用紙厚ｔ２が予め設定された閾値ｔ１を超えたか否かにより重送の発生の有無を判定する第２の重送検出処理。
（３）紙厚検出手段６５の検出値から用紙厚が変動する領域ＳＳの長さを検出して、該領域の長さが特定の閾値を超えたか否かにより重送の発生の有無を判定する第３の重送検出処理。
【００５５】
そして、上記の３つの重送検出処理が終了すると、各重送検出処理における判定結果と、ステップＳ２１で検出した用紙長データと、ステップＳ２４で検出した紙厚データを、重送再判定用データとして、ホストコンピュータ３０へ送信する（ステップＳ２６）。
【００５６】
複合処理装置１は、重送判定用データを送信するとホストコンピュータ３０から動作条件設定コマンドが送信されるまで、処理を一時停止する。
【００５７】
重送再判定用データを受信したホストコンピュータ３０は、読み取り情報判断部３３が受信したデータの種類を判別し（ステップＳ１２）、重送再判定用データの場合には、先に受信している単票用紙Ｓのイメージデータも利用して、重送再判定部３５により、重送の再判定を行う（ステップＳ１３）。
【００５８】
コマンド生成部３２は、重送再判定部３５による重送再判定結果を考慮した動作条件設定コマンドを生成し、生成された動作条件設定コマンドは送受信部３４を介して複合処理装置１へ送信される（ステップＳ１４）。
【００５９】
ステップＳ２６の処理後、処理を一時停止していた複合処理装置１では、コマンド解析部２４がホストコンピュータ３０から送信されたデータが動作条件設定コマンドであると解析すると、排出制御部２５が動作条件を設定する（ステップＳ２７）。これにより、複合処理装置１にはホストコンピュータ３０で行った重送再判定の結果を考慮した動作条件が設定される。
【００６０】
ステップＳ２７で設定された動作条件が、電子化済スタンプを押印する設定になっていればスタンプ機構１４が小切手Ｓの表面に押印し、排出トレイへ排出する（ステップＳ２８）。また、複数の排出路を備えた排出トレイを備えていれば、動作条件設定コマンドによって重送再判定結果に応じた排出路を設定することで、各小切手Ｓを分別して排出することもできる。
【００６１】
１枚目の小切手Ｓの排出処理が終了すると、複合処理装置１はホストコンピュータ３０へ排出終了ステータスを送信する。さらに、連続読み取り処理を継続する設定になっており（ステップＳ２９：Ｙｅｓ）、かつ次に読み取る小切手ＳがＡＳＦ３又は用紙搬送路２上に残っている場合には、ステップＳ２９〜Ｓ３１による連続処理ルーチンにより、ステップＳ２１〜Ｓ２８までの処理を繰り返す。
【００６２】
複合処理装置１のＡＳＦ３に装填された全ての単票用紙Ｓについて読み取り処置が終了すると（ステップＳ３０：Ｙｅｓ）、ホストコンピュータ３０に対して連続読み取り終了ステータスを送信して、処理を終了する（ステップＳ３２）。
【００６３】
一方、ステップＳ２９において、ステップＳ２７で設定された動作条件が連続読み取り処理を継続する設定になっていない場合も、連続読み取り終了ステータスをホストコンピュータ３０へ送信する（ステップＳ３２）。
【００６４】
ホストコンピュータ３０では、複合処理装置１から送信されたデータが連続読み取り終了ステータスであると判断すると（ステップＳ１２）、小切手Ｓの連続読み取り処理を終了する。
【００６５】
以上に説明した複合処理システム１００では、複合処理装置１は、第１の重送検出処理及び第２の重送検出処理に加え、第３の重送検出処理を実施するので、従来と比較して、より確実に重送の有無を検出することが可能になる。さらに、本実施形態の複合処理システム１００では、処理対象の単票用紙Ｓのイメージデータ及び重送再判定用データを複合処理装置１から受けたホストコンピュータ３０が、それらのデータを元に画像の認証処理等による高精度な重送検出を行って重送の有無を再判定する。このため、複合処理装置１側で第１の重送検出処理、第２の重送検出処理及び第３の重送検出処理を実施しても、重送を検出できない場合を、ホストコンピュータ３０側で検出することができるので、さらに重送の検出精度を高めることができる。
【００６６】
例えば、図７に示したように、肉厚のスタブ９１と小切手９３とが混在状態で連続読み取りする際に、紙厚の薄い小切手９３が重送状態で搬送されてきて、複合処理装置１に装備されている第１の重送検出処理、第２の重送検出処理及び第３の重送検出処理だけでは重送が検出できない場合でも、ホストコンピュータ３０における重送の再判定により、重送の発生を確実に検出することができる。
【００６７】
また、高度な処理能力が必要とされる画像の認証処理による重送検出はホストコンピュータ３０で実施し、複合処理装置１は既設の読取手段等で読み取った情報をホストコンピュータ３０に送信するだけで、複合処理装置１には大きな処理負担がかからない。そのため、複合処理装置１において、処理負担の増加によるスループットの低下を防止することができる。
【００６８】
また、複合処理装置１における処理負担がそれほど増加しないことから、複合処理装置１の処理能力を高める高性能化が必要とならず、複合処理装置１の高性能化に起因するコストアップや、装置の大型化等を防止することができる。
【００６９】
更に、本実施の形態の複合処理装置１では、重送の発生を検出するために、紙厚検出手段６５の検出値から用紙厚が変動する領域の長さを検出して、該領域の長さが特定の閾値を超えたか否かにより重送の発生の有無を判定する第３の重送検出処理を具備しており、この第３の重送検出処理によって、用紙の先端部等の一部が折れて重なっていることによる部分的な紙厚変化は重送から除外して、複合処理装置１における重送検出の精度を向上させることができる。
【００７０】
また、第３の重送検出処理において、用紙厚が変動する領域の検出は、第２の重送検出処理でも使用している既設の紙厚検出手段６５の検出値を利用するため、専用のハードウェアの追加が必要なく、ハードウェアの追加に起因するコストアップを招くことなく、複合処理装置１における重送検出の精度を向上させることができる。
【図面の簡単な説明】
【００７１】
【図１】本実施形態の複合処理システムを構成する複合処理装置の用紙搬送路の概略構成図である。
【図２】図１に示した複合処理装置の用紙搬送路の途中に装備された紙厚検出手段の概略構成図である。
【図３】図１に示した複合処理システムの機能ブロック図である。
【図４】図１に示した複合処理装置において実施される第２の重送検出処理の説明図である。
【図５】図１に示した複合処理装置において実施される第３の重送検出処理の説明図である。
【図６】図１に示した複合処理システムにおける用紙読取処理時の処理手順を示すフローチャートである。
【図７】図１に示した複合処理装置が実施する重送検出処理だけでは検出が難しい重送状態の説明図である。
【符号の説明】
【００７２】
１：複合処理装置、２：用紙搬送路、３：ＡＳＦ、９：用紙長検出手段、１１：第１の画像読取手段、１２：第２の画像読取手段、１３：磁気インク情報読取手段、２０：制御部、２１：受信部、３０：ホストコンピュータ、３４：送受信部、３５：重送再判定部、４０：送信部、４２：重送判定部、６１：押圧レバー、６５：紙厚検出手段、６６：反射面、６７：発光素子、６８：受光素子、６９：検出光、９１：スタブ、９３：小切手、１００：複合処理システム
【図１】
2009035367.tif 000003
【図２】
2009035367.tif 000004
【図３】
2009035367.tif 000005
【図４】
2009035367.tif 000006
【図５】
2009035367.tif 000007
【図６】
2009035367.tif 000008
【図７】
2009035367.tif 000009